(57)【要約】【解決手段】断面部材（１０）は、導通路断面（１４）を着脱可能に挿入可能な同一の形状を持つ内部断面を有する２つの断面開口部（１２）を形成していることを特徴とする導通路を備えた断面部材。【選択図】図１
2004520000.tif 000002
【特許請求の範囲】
【請求項１】
断面部材（１０）は、導通路断面（１４）を着脱可能に挿入可能な同一の形状の内部断面を有する２つの断面開口部（１２）を形成していることを特徴とする導通路を備えた断面部材。
【請求項２】
相互に平行に配置された２つの導通路断面（１４）が、共通の断面部材（１０）に統合されていることを特徴とする請求項１記載の断面部材。
【請求項３】
前記導通路断面（１４）が同一の断面を有することを特徴とする請求項２記載の断面部材。
【請求項４】
前記導通路断面（１４）が、前記断面開口部（１２）に嵌め込まれるように適合されていることを特徴とする１〜３の何れかに記載の断面部材。
【請求項５】
前記断面部材（１０）が、内部に２つの梁（１８）を具備した中空の断面であり、
前記各梁（１８）は、前記断面開口部（１８）のうちの一つの基底を定めると共に、前記導通路断面（１４）のための嵌め込み用輪郭部（２０）を形成していることを特徴とする請求項４記載の断面部材。
【請求項６】
前記導通路断面（１４）が合成樹脂製の押出されて成形された断面であり、
少なくとも２つの導体（２２）が、前記導通路断面（１４）の窪み（２４）を介して、前記導通路断面（１４）に接近可能に埋め込まれていることを特徴とする請求項１〜５の何れかに記載の断面部材。
【請求項７】
前記窪み（２４）が、前記断面部材（１０）の断面開口部（１２）の開口側に向いていることを特徴とする請求項６記載の断面部材。
【請求項８】
前記断面部材（１０）が、前記断面開口部（１２）の縁に、導通路アダプター及び／又はカバー断面（１６）のための係合用輪郭部（２８）を形成していることを特徴とする請求項１〜７の何れかに記載の断面部材。
【請求項９】
前記断面部材（１０）において、前記導通路断面（１４）及び／又は対応する断面開口部（１２）が、径方向に相互に向かい合うように配置されていることを特徴とする請求項１〜８の何れかに記載の断面部材。
【請求項１０】
前記断面部材（１０）が、棚の直立部であり、前記断面部材（１０）が、前記棚の構成要素のための固定手段（３４）を有しており、
前記固定手段（３４）が、導通路断面（１４）の前記断面開口部（１２）に直角で、径方向に相互に向かい合うように配置されていることを特徴とする請求項９記載の断面部材。
【発明の詳細な説明】
【０００１】
【発明の属する技術分野】
本発明は、導通路を備えた断面部材に関する。
【０００２】
【背景技術】
導通路は、電気的な装置に広く用いられ、任意の位置でフィーダーにより電力を供給することが可能であり、また、電気的な負荷を接続可能なアダプターにより、任意の位置で分岐させることが可能である利点を有している。さらに、棚、家具の構成要素等において、支持する機能を同時に備えた断面部材に統合されたような導通路が知られている。
【０００３】
【発明の開示】
本発明の目的は、導通路を備え、多様な用途を有する断面部材を提供することである。
【０００４】
本発明によれば、断面部材が、導通路断面を着脱可能に挿入可能な同一の形状の内部断面を有する２つの断面開口部を備えている特徴により、この目的が達成される。
【０００５】
この断面部材において、一及び同様の導通路断面が、利用者の要求に応じて、２つの断面開口部のいずれかに挿入されており、その結果として、フィーダー及び／又はアダプターを、長手方向の任意の位置だけでなく、断面部材の断面の２つの異なる側面にも配置することが可能となっている。従って、要求される使用に応じたアダプターの視覚的な配置が可能となる。勿論、両方の断面開口部に２つの同一の導通路断面を挿入することも可能であり、それにより二重の導通路が形成される。
【０００６】
従って、さらに本発明は、２つの平行な導通路が、同一の断面部材に統合されていることを特徴とする断面部材に関する。
【０００７】
本発明の有効な実施形態は、従属項において示される。
【０００８】
最終的に言及される実施形態において、２つの導通路の電気的な導体は、異なる回路に属しても良い。この事は、例えば、異なる導通路に接続されており、グループ状に明かりを点灯させたり又は薄暗くしたりするイルミネーション装置のような可能性を提供する。
【０００９】
本発明の概念の一般化においては、さらに、断面部材は、導通路断面のための２以上の断面開口部を形成しており、及び／又は、２以上の平行な導通路を収容することが可能である。
【００１０】
さらに、異なる導通路に異なる電圧が供給されても良い。それ故に、例えば、一の導通路を、２３０Ｖの線間電圧のハイファイシステム、テレビセット等のような電気装置に供給するための線間の導通路として使用するのに対し、他の導通路を、１２Ｖ又は２４Ｖの直流で印可されるハロゲンランプのための低電圧用の導通路として使用しても良い。好ましくは、２以上の導通路が同一の構造を有しているにも関わらず、絶縁、接触防止及び接地用ワイヤーの存在の観点から、線間の導通路に要求される事項を満たす一方で、導体の断面は、低電圧の装置より概して大きな電流量に適合されている。
【００１１】
２つの断面開口部及び２つの導通路は、同じ側面又は反対の側面からそれらに接近可能なように、断面部材にそれぞれ配置されていても良い。好ましい実施形態においては、断面部材は、全体として、略楕円断面を有しており、２つの断面開口部は、その楕円形状の長軸上で相互に径方向に向かい合うように配置されている。断面部材は、例えばアルミニウム又はアルミニウム合金の押出されて成形された断面によって形成されていても良く、導通路のための断面開口部に加えて、ラック棚や他の家具の構成要素を固定するための、前記楕円形状の短軸上で径方向に相互に向かい合うように配置された１以上の取付用溝を有していることが好ましい。それ故に、断面部材が、例えば、ラックの直立部、又は、カップボードの支持用直立部として用いられ、ランプや他の負荷への電力が、要求に応じて直立部の正面或いは背面で分岐させることができる。
【００１２】
線間電圧のために設計された一の導通路が、低電圧システムに用いられる場合に、独立して切り替え可能な２つの電気回路を、導通路ごとに形成するために、接地用ワイヤーが用いられても良い。低電圧の装置において、さらに、電気的な導体として金属製の断面部材を用いることにより、追加の回路が形成されても良い。
【００１３】
断面部材に脱着可能に挿入された導通路断面は、断面部材の断面開口部内に嵌め込み可能な、プラスティック製の押出されて成形された断面により形成されており、断面部材から絶縁されるように、当該導通路断面に電気的導体が埋め込まれていることが好ましい。
【００１４】
圧入又は嵌め込み式のカバー断面のための取付部が、断面開口部の縁に形成されている。導通路断面を収容するのに用いられない断面開口部は、当該カバー断面により覆われても良い。さらに、導通路断面が、エンドレスの材料の形態で具備されていることが好ましく、当該導通路断面が、断面部材の所定の長手部分にのみ挿入されていることも可能である。そして、残りの長手部分には、カバー断面で覆われていても良い。任意に、カバー断面が、導通路断面を覆うように設けられても良く、その結果として、アダプターが接近可能な隣接する部分を電気的に接続するだけに使用される導通路断面の部分は、カバー断面により覆われる。
【００１５】
【発明の実施の形態】
以下に、図面に基づいて、本発明の実施形態について説明する。ここにおいて、
図１は、本発明に従った断面部材の断面図である。
図２は、他の配置における図１に従った断面部材の断面図である。
図３は、図１及び図２に示すタイプの断面部材を棚の直立部をして使用した棚型の壁ユニットの斜視図である。
【００１６】
図１に断面が示される断面部材１０は、例えば、アルミニウムの押出されて成形された断面により形成されており、略楕円の外形断面形状を有している。同一の形状の２つの断面開口部１２が、鏡対称に且つ前記楕円の長軸上で径方向に相互に向かい合うように形成されており、当該断面開口部１２の中に、電気的に絶縁された導通路断面１４が嵌め込まれている。図１に示す状態において、導通路断面１４は、上側の断面開口部１２においてのみ挿入されているのに対し、下側の断面開口部は、カバー断面１６により閉じられている。対照的に、図２では、導通路断面１４が両方の断面開口部１２に挿入された配置が示されている。ここで、断面開口部を通じて下側の導通路断面１４に接近可能な断面部材１０の長手部分に、閉じていない部分的な平面が位置しているのに対して、上側の導通路断面１４がカバー断面１６に隠れている。
【００１７】
各断面開口部１２の基底は、断面部材の梁１８により定められており、当該梁は、断面開口部１２の内部に凸状に突出する嵌め込み用輪郭部２０を形成している。
【００１８】
導通路断面１４は、それ自体としては良く知られた、押出されて成形されたプラスティックの断面として形成されており、２つの導体２２が相互に電気的に絶縁され、窪み２４を介してそれぞれ接近可能なように、当該導通路断面に埋め込まれている。導通路断面１４は、断面開口部１２の開口側に窪み２４が向くように、２つの固定用リブ２６で嵌め込み用輪郭部２０に嵌め込まれている。
【００１９】
断面開口部１２を定める断面部材１０の壁には、カバー断面１６を固定するのに利用される２つの対向する溝２８が形成されている。同時に、溝２８は、特に図示しないアダプターの固定に使用され、このアダプターは、導通路断面１４の窪み２４に係合させ、ブレードを接触させて、導体２２から電流を分岐させる。このような方法で、導通路に固定されるアダプターは、それ自体としては良く知られており、従って、ここでは詳細に説明しない。断面部材１０及び導通路断面１４は、商業用に利用可能なアダプタと併用できるように設計されていることが好ましい。
【００２０】
示される例においては、導通路断面１４は、低電圧用の導通路として用いられるための単に２つの導体２２を有しているに過ぎない。しかしながら、絶縁及び接触防止の観点から、導通路断面１４及び断面部材１０における当該導通路断面の配置は、例えば２３０Ｖの電圧のための線間の導通路の条件をも満たしている。この場合において、導通路断面の溝３０に、接地用ワイヤーが取り付けられても良く、又は、断面部材１０全体が接地用導体として用いられても良い。
【００２１】
断面部材１０の楕円断面の短軸上に、径方向に向かい合うように固定用断面３２が形成されており、この固定用断面３２の断面は、断面部材１０の中心軸に相対的に相互に鏡対称となっており、各固定用断面は、ボルト孔３６と同様に、ラック棚や他の家具の構成要素のために、刳り抜かれた固定用溝３４を形成している。従って、固定用溝３４を有する断面部材１０は、図３に示ような公知技術である棚型壁ユニットの直立部として利用されても良い。ラック棚又は他の家具の構成要素が、クランプ締めやネジ止めによって公知の方法で、固定用溝３４に固定される。ボルト孔３６は、例えば、断面部材１０の両端部に端部キャップを固定するのに利用される。
【図面の簡単な説明】
【図１】図１は本発明に従った断面部材の断面図である。
【図２】図２は他の配置における図１に従った断面部材の断面図である。
【図３】図３は図１及び図２に示すタイプの断面部材を棚の直立部をして使用した棚型の壁ユニットの斜視図である。
【図１】
2004520000.tif 000003
【図２】
2004520000.tif 000004
【図３】
2004520000.tif 000005
【国際公開パンフレット】
2004520000.tif 000006
2004520000.tif 000007
2004520000.tif 000008
2004520000.tif 000009
2004520000.tif 000010
2004520000.tif 000011
2004520000.tif 000012
2004520000.tif 000013
2004520000.tif 000014
2004520000.tif 000015
2004520000.tif 000016
【国際調査報告】
2004520000.tif 000017
2004520000.tif 000018
2004520000.tif 000019
2004520000.tif 000020
2004520000.tif 000021
2004520000.tif 000022